(57)【要約】【課題】基本的には従来からある支持脚で床板を支えるという手法を踏襲しながらも、より簡易な構造、また、手数で、しかも安価に構築できる二重床構造を提供する。【解決手段】基板としての基礎床面となるコンクリート床スラブ１上に、床板パネル４を支える支持脚２を立てて床板パネル４を支えて二重床を先行して構築し、その後、二重床の上に間仕切壁６を構築するようにした二重床構造において、前記床板パネル４を支える支持脚２に対してジグザグになるようにして床板パネル４の中間を支える支持脚５を設けた。【選択図】図１
2009150168.tif 000002
【特許請求の範囲】
【請求項１】
基板の上に、支持脚を立てて床板を支えて二重床を先行して構築し、その後、二重床の上に間仕切壁を構築するようにした二重床構造において、前記床板を支える支持脚に対してジグザグになるようにして床板の中間を支える支持脚を設けたことを特徴とする二重床構造。
【請求項２】
床板を支える支持脚は、床板の辺縁を支える請求項１記載の二重床構造。
【請求項３】
ジグザグは床板の中間を支える支持脚が床板を支える支持脚の縦・横方向の仮想延長線上にない他の部位に設けられた状態の形状を言う請求項１又は２のいずれかに記載の二重床構造。
【請求項４】
ジグザグは床板を支える支持脚と床板の中間を支える支持脚とがＺ字形、千鳥形、電光形のいずれかをなす形状を言う請求項１〜３のいずれかに記載の二重床構造。
【請求項５】
千鳥形は床板の辺縁の一辺を支える一対の支持脚とその中間に位置する床板の中間を支える支持脚とが正三角形又は二等辺三角形をなす形状を言う請求項１〜４のいずれかに記載の二重床構造。
【請求項６】
基板上に縦、横方向に所定のピッチで床板を支える支持脚を配置する第一の工程と、これらの床板を支える支持脚に対してジグザグになるようにして床板の中間を支える支持脚を前記基板上に配置する第二の工程と、前記床板を支える支持脚の受板上面に、隣接する各床板の辺縁を片持たせ載置しながら床板を配置する第三の工程とで二重床構造を構築した後、天井側ランナーを天井側コンクリートスラブに、床側ランナーを床板に夫々個着する第一の工程と、天井側、床側のランナー間に木軸を相互に所定間隔を開けて立てる第二の工程と、天井側、床側の各ランナー、そして木軸を挟むようにして、両側から石膏ボードを接着剤と釘で固定する第三の工程とで前記床板上に間仕切壁を構築するようにしたことを特徴とした間仕切壁の構築方法。
【発明の詳細な説明】
【技術分野】
【０００１】
本発明は、例えばコンクリート床スラブなど基板の上に、支持脚を立てて床板を支えて二重床を先行して構築し、その後、二重床の上に間仕切壁を構築するようにした所謂床先行工法によって得られる二重床構造（業界内にあっては一般的には床勝ち床壁構造と称される）に関する。
【背景技術】
【０００２】
従来より床先行工法により構築される二重床構造は多種多様なものが提案されており、また実施されている。
大変オーソドックスな手法としては、図４に示すように、隣り合う床板０１の境界０２に沿って支持脚０３を配置し、コンクリートスラブなどの基板０４の上に床板０１を支持して二重床を構築する。
尚、図１中の符号０Ｓは区画領域（各住戸）を形成するための躯体壁である。
【０００３】
しかし、二重床を先行して構築した後に間仕切壁０５を建て込むため、間仕切壁０５の構築位置に必ずしも床板の支持脚があるとは限らず、間仕切壁０５の荷重で床板０１が撓んでしまうなどの問題が生じることもあった。
【０００４】
そこで、特開平６―２６４５３９号公報に示されるように、間仕切壁０５の構築位置に相当する部位の床板０４に孔を開け、間仕切壁０５の支持脚０６（図４参照）を新たに配置し、その上に間仕切壁０５を構築するなどの手法で間仕切壁０５を支持し、もって床板０１の撓みを防止するなどの手段が講じられている。
【０００５】
また、特開２００４−２５７０５９号公報のように、床板を複数枚の合板で構成して、床板の剛性を高め、床板の支持脚がないところに間仕切壁が構築されても床板が撓むなどの障害が起きないよう工夫されているものもある。
【０００６】
【特許文献１】特開平０６―２６４５３９号公報
【特許文献２】特開２００４−２５７０５９号公報
【発明の開示】
【発明が解決しようとする課題】
【０００７】
しかしながら、上記に掲げる特許文献の前者の手法では、フリープランの採用などで、マンションの購入者が自由に部屋割をして間仕切壁を構築するにしても、二重床内（コンクリート床スラブと床板との間）に各種配管や配線がある場合があり、間仕切壁構築位置だからといって勝手に床板に孔を開け、間仕切壁支持脚を立てるわけにはいかない場合もある。
【０００８】
また、後者の手法では複数枚の合板で床板を構成するために、床板の製造に日数と手間が掛かり高価になものになってしま居、また重量も嵩み、取り扱いも不便になる欠点がある。
【０００９】
その結果、業界内は言うまでもなく、広く需要者の間にも、より簡易な構造、また、手数で、しかも安価に構築できる二重床構造が望まれている。
【００１０】
本発明は、これらの要望にこたえるために開発されたもので、間仕切壁の重量を合板ではなく従来どおりの一枚の床板でどうように撓みを少なくして支えるかを鋭意研究した結
果、支持ポイントが多ければ多いほど間仕切壁の重量を支持脚に分散できて、結果として床板の強度を高めることができる点に思い至り、最終的に満足の行くに二重床構造を開発したので提案する。
【００１１】
したがって、本発明の目的は、基本的には従来からある支持脚で床板を支えるという手法を踏襲しながらも、より簡易な構造、また、手数で、しかも安価に構築できる二重床構造並びにこれを用いた間仕切壁の構築方法を提供することにある。
【課題を解決するための手段】
【００１２】
以上の技術的な課題を解決するために、本発明の請求項１に係る二重床構造は、基板の上に、支持脚を立てて床板を支えて二重床を先行して構築し、その後、二重床の上に間仕切壁を構築するようにした二重床構造において、前記床板を支える支持脚に対してジグザグになるようにして床板の中間を支える支持脚を設けたものである。
【００１３】
このような二重床構造はその上に、以下のようにして間仕切壁が構築されることによって、更にその真価を発揮するもので、具体的には、基板上に縦、横方向に所定のピッチで床板を支える支持脚を配置する第一の工程と、これらの床板を支える支持脚に対してジグザグになるようにして床板の中間を支える支持脚を前記基板上に配置する第二の工程と、前記床板を支える支持脚の受板上面に、隣接する各床板の辺縁を片持たせ載置しながら床板を配置する第三の工程とで二重床構造を構築した後、天井側ランナーを天井側コンクリートスラブに、床側ランナーを床板に夫々個着する第一の工程と、天井側、床側のランナー間に木軸を相互に所定間隔を開けて立てる第二の工程と、天井側、床側の各ランナー、そして木軸を挟むようにして、両側から石膏ボードを接着剤と釘で固定する第三の工程とで前記床板上に間仕切壁を構築する。
【００１４】
ここにおいて、床板を支える支持脚に対して床板の中間を支持する支持脚を千鳥形をなすように設けるための具体的な構成としては、所謂千鳥形（ｚｉｇｚａｇ）が理想的であるが、これに限らず、床板の中間を支える支持脚が床板を支える支持脚の縦・横方向の仮想延長線上にない他の部位に設けられた状態の形状（請求項３）や床板を支える支持脚と床板の中間を支える支持脚とがＺ字形、千鳥形、電光形のいずれかをなす形状を言う（請求項４）や更に限定的には床板の辺縁の一辺を支える一対の支持脚とその中間に位置する床板の中間を支える支持脚とが正三角形又は二等辺三角形をなす形状（請求項５）等の種々の形態が採用される。
【００１５】
先ず、基板の上に床板を支える支持脚を立て、更にこの支持脚に対してジグザグになるようにして床板の中間を支える支持脚を基板上に立てる。次いでこれらの支持脚で床板を支えて二重床を先行して構築し、その後、二重床の上に間仕切壁を構築し、床板を支える本来の支持脚と床板の中間を支える支持脚とでこの間仕切壁の重量を分担して支える。
【００１６】
このような構成では、床板を支える支持脚以外に床板の中間を支える支持脚は間仕切壁が床板上のどの位置に構築されても、間仕切壁の重量を前記床板を支える支持脚と床板の中間を支える支持脚とによって分散して支持する。
【発明の効果】
【００１７】
したがって、本発明の請求項１に係る二重床構造は、間仕切壁の重量を前記床板を支える支持脚と床板の中間を支える支持脚とによって分散して支持するので、結果として床板の強度を合板を二重、三重張りにしたものに比べても遜色なく高めることができ、しかも遥かに軽量で、製造にも手数を要せず、大変安価に提供できる上に、床板に孔を開けて支持脚を設ける手法などに比べて、格段に簡単に構築できることは言うまでも無く、不用意に配管や配線を切断したり、或いはこれらのために自由な部屋割りが制限それるなどの欠
点も解決でき、正にフリープランに適合した二重床構造を提供できる。
【００１８】
以上の構成において、請求項２に記載のように、床板を支える支持脚は、床板の辺縁を支えるのがま望ましい。
従来の製法をそのまま踏襲することで、コスト面、製造工程、日数など多くの面で有利で、簡便に構築できるからである。
【００１９】
また、請求項５に記載のように、各支持脚を配置するに当たって、床板の辺縁の一辺を支える一対の支持脚と床板の中間を支持する支持脚が正三角形、又は二等辺三角形をなす形状の千鳥形に配置されるのが望ましい。
間仕切壁の重量を平均して最もバランスよく分担支持できるからである。
【００２０】
また、請求項６に係る間仕切壁の構築方法によれば、天井側、床側の各ランナーと木軸そしてこの石膏ボードとの一体化が格段に効果的に達成され、高さと幅と奥行きを持った剛性のある壁という面が得られ、併せて床板パネルはその中間を支持する支持脚の働きも加味されて適宜に撓みに対する剛性が高められるので、床板そのものの撓みを少なくし、しかも重量衝撃音に対しても、これを軽減する効果が高まる。すなわち、床板並びに間仕切壁の剛性が高まると言っても、鋼材等に比較すれば剛性の低い素材であるため、目に見える撓みはないものの、重量衝撃音などの振動等に関しては、僅かな撓みを生じ、これが重量衝撃音の減衰に寄与する。
【発明を実施するための最良の形態】
【００２１】
以下、実施例を掲げて本発明を更に詳細に説明する。しかし、本発明の範囲はかかる実施例に制限されるものではない。
【００２２】
図１〜３は、乾式置床工法により敷設された二重床の床面上に間仕切壁を施工した一実施例を示している
そこで、先ず、本発明の実施例に係る二重床構造は、基板としての基礎床面となるコンクリート床スラブ１上に縦方向（奥行き方向）、横方向（間口方向）に所定のピッチで支持脚２を配置する。
この支持脚２は、図２に示すように、その受板３上面に、隣接する各床板としての床板パネル４の辺縁４Ａを片持たせ載置するためのもので、従来より行われている手法である。
【００２３】
次いで、この支持脚２の配置が完了したら、図１、２に示すように、これらの支持脚２に対して千鳥形をなすようにして床板パネル４の中間を支える支持脚５をコンクリート床スラブ１上に配置する。
【００２４】
前記床板パネル４はパーティクルボードと合板で構成され、４５０ｍｍ×１３５０ｍｍの長方形の板状をなし、隣り合うもの同士のそれぞれを、図１に示すように、ずらしながら配置して、隣り合う床板パネル４の境界Ｂに４５０ｍｍピッチで前記支持脚２を配置する。一つの床板パネル４について見れば、その長辺の辺縁４Ａに沿って、各角部４Ｂとその間に２個で、一辺都合４個、向かい合う辺縁４ａと併せて合計８個の支持脚２を配置する。次いで、前記支持脚２と千鳥をなすように床板パネル４の長手中心線Ｌに沿って４５０ｍｍで床板の中間を支持する支持脚５を配置する。
【００２５】
得られた支持脚を平面的に観察すると、床板パネル４の長辺４ａ又は短辺４ｂに沿って配置された支持脚２の隣り合う一対の支持脚２とこの床板の中間を支持する支持脚５とが、丁度二等辺三角形を形成する形状に配置されている。
【００２６】
ここに言う千鳥形とは、広くはジグザグ（ｚｉｇｚａｇ）に包含される概念である。
このジグザグは、上記のような千鳥形以外にも、例えばＺ字形や電光形、更には床板パネル４の中間を支える支持脚５が床板を支える支持脚２の縦・横方向の仮想延長線上にない他の部位に設けられた状態の形状も包含する概念である。
【００２７】
次いで、支持脚２の受板３上面に、隣接する各床板としての床板パネル４の辺縁４Ａを片持たせ載置しながら床板パネル４を配置する。必然的にその中間部分は前記床板パネル４の中間を支える支持脚５によって支持される。
【００２８】
このようにして得られた二重床構造は、床板パネル４の中間部も支持脚５で支持されるので、合板を２重、３重に張り合わせなくても、不用意に撓むおそれも少なく、十分な剛性を備えたものとなる。また、間仕切壁（詳細は後述する）６の構築相当位置の床板パネル４に支持脚用の孔を開ける手間と労力も要せず、簡単で廉価に提供できる。
【００２９】
次に、間仕切壁構築位置に相当する部分に、ランナーを設ける。
図２、３に示すように、天井側ランナー７は、天井側コンクリートスラブＵに接着剤（図外）で固着される。
また、床側ランナー８は、床板パネル４に接着剤（図外）と釘９で固定される。
【００３０】
各ランナー７、８の取り付けが完了した後、天井側、床側のランナー７、８間に木軸１０を相互に所定間隔を開けて立てる。木軸１０は天井側、床側の各ランナー７、８に釘止め（図外）される。
次いで、天井側、床側の各ランナー７，８、そして木軸１０を挟むようにして、両側から石膏ボード１１を接着剤と釘１２（図３）で固定しても間仕切壁６を構築する。
【００３１】
尚、図３に示す例では、石膏ボード１１は天井側、床側の各ランナー７、８には接着剤で、また木軸１０には釘１２で固着する例を示したが、斯かる手段以外にも共に接着剤と釘１２を併用して固着しても良い。間仕切壁６そのものの強度が一層高まり望ましい。
【００３２】
尚、図１中の符号Ｓで示す部材は、区画領域（各住戸）を形成するための躯体壁である。また、図２、３中の符号１３で示す部材は、前記床板パネル４の上に設置されるフローリングや絨毯などの床表面仕上げ材である。
【００３３】
得られた間仕切壁は図１、２に示すように、中間部も支持脚５で支持された床板パネル４で支持されるので、この間仕切壁６の重量は、両支持脚２、５に分散して支持されことのなる。したがって、床板パネル４は合板を２重、３重に張り合わせなくても、不用意に撓むおそれも少なく、十分な剛性を備えたものとなる。また、この間仕切壁６の構築相当位置の床板パネル４に支持脚用の孔を開ける手間と労力も要せず、簡単で廉価に提供できる。
【００３４】
特にこの間仕切壁６の構築に当たって、接着剤と釘１２とを併用して石膏ボード１１を天井側、床側の各ランナー７、８と木軸１０に固着する場合は、間仕切壁６の剛性が格段に高まる。すなわち、釘付けのみの場合には、天井側、床側の各ランナー７、８と木軸１０そしてこの石膏ボード１１との一体化にややルーズな点が生じる。それは、木軸という線、いわば糸で天井側コンクリートスラブから石膏ボード１１が吊り下げられる態をなす。しかし、接着剤を併用することによって、天井側、床側の各ランナー７、８と木軸１０そしてこの石膏ボード１１との一体化が格段に効果的に達成され、高さと幅と奥行きを持った剛性のある壁という面が得られ、このような剛性のある間仕切壁６が天井側コンクリートスラブＵから吊り下げられる態をなす。
【００３５】
この構成によって、床板パネル４はその中間を支持する支持脚５の働きも加味されて適宜に撓みに対する剛性が高められるとともに、間仕切壁６を面で天井コンクリートスラブＵから吊る構成になるので、床板パネル４に掛かる間仕切壁６の荷重を軽減でき、床板パネル４の撓み等の問題を解決できる。
【００３６】
しかも、間仕切壁６と床板パネル４は、床板側ランナー８によって固定されているので、床板パネル４は、床板の支持脚２、５と間仕切壁６の天井吊り効果により、重量衝撃音に対しても、これを軽減する効果が高まる。すなわち、間仕切壁６の剛性が高まると言っても、木軸１０と石膏ボード１１と言う鋼材等に比較すれば剛性の低い素材であるため、目に見える撓みはないものの、重量衝撃音などの振動等に関しては、僅かな撓みを生じ、これが重量衝撃音の減衰に寄与する。
【図面の簡単な説明】
【００３７】
【図１】本発明に係る二重床構造の平面図である。
【図２】図１中のＡ−Ａ拡大断面図断面である。
【図３】図１に示される二重床構造の一部省略斜視図である。
【図４】従来構造の平面図である。
【符号の説明】
【００３８】
１…コンクリート床スラブ
２…床板を支える支持脚
３…受板
４…床板パネル
５…床板中間部を支える支持脚
６…間仕切壁
７…天井側ランナー
８…床側ランナー
９…釘
１０…木軸
１１…石膏ボード
１２…釘
Ｂ…境界
Ｌ…中心線
Ｕ…天井側コンクリートスラブ
【図１】
2009150168.tif 000003
【図２】
2009150168.tif 000004
【図３】
2009150168.tif 000005
【図４】
2009150168.tif 000006